(57)【要約】      （修正有）【課題】発光ユニットを制御チップにマッチさせる誘導発光回路を提供する。【解決手段】誘導発光回路１００は、発光ユニット１１０、制御チップ１２０、第１のインダクタンスコイル１３０、第２のインダクタンスコイル１４０、第１の電線Ｌ１、第２の電線Ｌ２および第３の電線Ｌ３を備える。第１の電線の一端は、発光ユニットの一端に接続し、他端は第１のインダクタンスコイルの一端に接続する。第２の電線の一端は、発光ユニットの他端に接続し、他端は制御チップの一端および第２のインダクタンスコイルの一端に接続する。発光ユニットの制御チップに接続していない一端は、第１の電圧値を有し、制御チップの発光ユニットに接続していない他端は、第２の電圧値を有し、第１の電圧値は第２の電圧値より大きい、第１の電圧値と第２の電圧値との比は、第１のインダクタンスコイルの第１のインダクタンス値と第２のインダクタンスコイルの第２のインダクタンス値との比と同じである。【選択図】図１
0003232157.tif 000002
【実用新案登録請求の範囲】
【請求項１】
発光ユニット、制御チップ、第１のインダクタンスコイル、第２のインダクタンスコイル、第１の電線、第２の電線および第３の電線を備える誘導発光回路であって、
前記第１のインダクタンスコイルは、第１のインダクタンス値を有し、
前記第２のインダクタンスコイルは、第２のインダクタンス値を有し、
前記第１の電線の一端は、前記発光ユニットの一端に接続し、他端は前記第１のインダクタンスコイルの一端に接続し、
前記第２の電線の一端は、前記発光ユニットの他端に接続し、他端は前記制御チップの一端および前記第２のインダクタンスコイルの一端に接続し、
前記第３の電線の一端は、前記第１のインダクタンスコイルの他端に接続し、他端は前記制御チップの他端および前記第２のインダクタンスコイルの他端に接続し、
前記発光ユニットの前記制御チップに接続していない一端は、第１の電圧値を有し、前記制御チップの前記発光ユニットに接続していない他端は、第２の電圧値を有し、前記第１の電圧値は前記第２の電圧値より大きい、前記第１の電圧値と前記第２の電圧値との比は、前記第１のインダクタンス値と前記第２のインダクタンス値との比と同じであることを特徴とする、誘導発光回路。
【請求項２】
前記発光ユニットは、発光ダイオードであることを特徴とする、請求項１に記載の誘導発光回路。
【請求項３】
前記第１のインダクタンスコイルは、可変インダクタンスコイルであることを特徴とする、請求項１に記載の誘導発光回路。
【請求項４】
前記第２のインダクタンスコイルは、可変インダクタンスコイルであることを特徴とする、請求項１に記載の誘導発光回路。
【請求項５】
制御チップ、発光ユニット、第１のインダクタンスコイル、第２のインダクタンスコイル、第１の電線、第２の電線および第３の電線を備える誘導発光回路であって、
前記第１のインダクタンスコイルは、第１のインダクタンス値を有し、
前記第２のインダクタンスコイルは、第２のインダクタンス値を有し、
前記第１の電線の一端は、前記制御チップの一端に接続し、他端は前記第１のインダクタンスコイルの一端に接続し、
前記第２の電線の一端は、前記制御チップの他端に接続し、他端は前記発光ユニットの一端および前記第２のインダクタンスコイルの一端に接続し、
前記第３の電線の一端は、第１のインダクタンスコイルの他端に接続し、他端は前記発光ユニットの他端および前記第２のインダクタンスコイルの他端に接続し、
前記制御チップの前記発光ユニットに接続していない一端は、第１の電圧値を有し、前記発光ユニットの前記制御チップに接続していない他端は、第２の電圧値を有し、前記第１の電圧値は前記第２の電圧値により大きい、前記第１の電圧値と前記第２の電圧値との比は、前記第１のインダクタンス値と前記第２のインダクタンス値との比と同じであることを特徴とする、誘導発光回路。
【請求項６】
前記発光ユニットは、発光ダイオードであることを特徴とする、請求項５に記載の誘導発光回路。
【請求項７】
前記第１のインダクタンスコイルは、可変インダクタンスコイルであることを特徴とする、請求項５に記載の誘導発光回路。
【請求項８】
前記第２のインダクタンスコイルは、可変インダクタンスコイルであることを特徴とする、請求項５に記載の誘導発光回路。
【考案の詳細な説明】
【技術分野】
【０００１】
本考案は、一種の電子回路に関わり、具体的には、一種の誘導発光回路に関する。
【背景技術】
【０００２】
一般の誘導発光回路は、チップおよび発光ダイオードを備えるが、チップは既定の要素である。そのため、適切な発光ダイオードを探す時、発光ダイオードの電圧はチップの電圧にマッチする必要があり、他の需要（例えば、色）を満たす必要もあるため、マッチできる発光ダイオードを探すのは、時間とコストの負担になる。
【考案の概要】
【考案が解決しようとする課題】
【０００３】
このような従来技術の問題に鑑みて、本考案の目的は、従来技術の改善されるべき問題を解決する、誘導発光回路を提供することにある。
【課題を解決するための手段】
【０００４】
本考案の目的により、発光ユニット、制御チップ、第１のインダクタンスコイル、第２のインダクタンスコイル、第１の電線、第２の電線および第３の電線を備える誘導発光回路を提供する。第１のインダクタンスコイルは、第１のインダクタンス値を有する。第２のインダクタンスコイルは、第２のインダクタンス値を有する。第１の電線の一端は、発光ユニットの一端に接続し、他端は第１のインダクタンスコイルの一端に接続する。第２の電線の一端は、発光ユニットの他端に接続し、他端は制御チップの一端および第２のインダクタンスコイルの一端に接続する。第３の電線の一端は、第１のインダクタンスコイルの他端に接続し、他端は、制御チップの他端および第２のインダクタンスコイルの他端に接続する。そのうち、発光ユニットの制御チップに接続していない一端は、第１の電圧値を有し、制御チップの発光ユニットに接続していない他端は、第２の電圧値を有し、第１の電圧値は第２の電圧値より大きい、第１の電圧値と第２の電圧値との比は、第１のインダクタンス値と第２のインダクタンス値との比に同じである。
【０００５】
より好ましくは、発光ユニットは、発光ダイオードであることができる。
【０００６】
より好ましくは、第１のインダクタンスコイルは、可変インダクタンスコイルであることができる。
【０００７】
より好ましくは、第２のインダクタンスコイルは、可変インダクタンスコイルであることができる。
【０００８】
上記目的に基づいて、制御チップ、発光ユニット、第１のインダクタンスコイル、第２のインダクタンスコイル、第１の電線、第２の電線および第３の電線を備える誘導発光回路を更に提供する。第１のインダクタンスコイルは、第１のインダクタンス値を有する。第２のインダクタンスコイルは、第２のインダクタンス値を有する。第１の電線の一端は、制御チップの一端に接続し、他端は、第１のインダクタンスコイルの一端に接続する。第２の電線の一端は、制御チップの他端に接続し、他端は、発光ユニットの一端および第２のインダクタンスコイルの一端に接続する。第３の電線の一端は、第１のインダクタンスコイルの他端に接続し、他端は、発光ユニットの他端および第２のインダクタンスコイルの他端に接続する。そのうち、制御チップの発光ユニットに接続していない一端は第１の電圧値を有し、発光ユニットの制御チップに接続していない他端は、第２の電圧値を有し、第１の電圧値は第２の電圧値より大きい、第１の電圧値と第２の電圧値との比は、第１のインダクタンス値と第２のインダクタンス値との比と同じである。
【０００９】
より好ましくは、発光ユニットは、発光ダイオードであることができる。
【００１０】
より好ましくは、第１のインダクタンスコイルは、可変インダクタンスコイルであることができる。
【００１１】
より好ましくは、第２のインダクタンスコイルは、可変インダクタンスコイルであることができる。
【００１２】
上記のように、本考案の誘導発光回路は、発光ユニットと制御チップとの電圧比に基づいて、第１のインダクタンスコイルまたは第２のインダクタンスコイルのインダクタンス値を調節して、回路が発光ユニットと制御チップの電圧にマッチする効果を得ることができる。
【図面の簡単な説明】
【００１３】
【図１】本考案の誘導発光回路の第１の実施例の回路図。
【図２】本考案の誘導発光回路の第２の実施例の回路図。
【考案を実施するための形態】
【００１４】
本考案をより完全に理解するために、本考案の技術特徴、内容と長所およびそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００１５】
図１を参照し、図１は本考案の誘導発光回路の第１の実施例の回路図である。図面に示すように、本考案の誘導発光回路１００は、発光ユニット１１０、制御チップ１２０、第１のインダクタンスコイル１３０、第２のインダクタンスコイル１４０、第１の電線Ｌ１、第２の電線Ｌ２および第３の電線Ｌ３を備える。
【００１６】
更に、第１のインダクタンスコイル１３０は第１のインダクタンス値を有する。第２のインダクタンスコイル１４０は第２のインダクタンス値を有する。
【００１７】
また、第１の電線Ｌ１の一端は、発光ユニット１１０の一端に接続し、他端は第１のインダクタンスコイル１３０の一端に接続する。第２の電線Ｌ２の一端は発光ユニット１１０の他端に接続し、他端は制御チップ１２０の一端および第２のインダクタンスコイル１４０の一端に接続する。第３の電線Ｌ３の一端は第１のインダクタンスコイル１３０の他端に接続し、他端は制御チップ１２０の他端および第２のインダクタンスコイル１４０の他端に接続する。
【００１８】
そのうち、発光ユニット１１０の制御チップ１２０に接続していない一端は第１の電圧値を有し、制御チップ１２０の発光ユニット１１０に接続していない他端は第２の電圧値を有し、第１の電圧値は第２の電圧値により大きい。すなわち、発光ユニット１１０の電圧値は制御チップ１２０の電圧値より大きい、第１の電圧値と第２の電圧値との比は第１のインダクタンス値と第２のインダクタンス値との比と同じである。
【００１９】
実施する時、発光ユニット１１０の電圧が制御チップ１２０の電圧より大きい場合、発光ユニット１１０の電圧を第１の電圧値にして、制御チップ１２０の電圧を第２の電圧値にする。そして、第１の電圧値と第２の電圧値との比に基づいて、第１のインダクタンス値と第２のインダクタンス値との比を第１の電圧値と第２の電圧値との比に同じになるように、第１のインダクタンスコイル１３０の第１のインダクタンス値または第２のインダクタンスコイル１４０の第２のインダクタンス値を調節し、発光ユニット１１０を制御チップ１２０にマッチすることができる。
【００２０】
また、発光ユニット１１０は、発光ダイオードであることができ、第１のインダクタンスコイル１３０または第２のインダクタンスコイル１４０は可変インダクタンスコイルであることができる。
【００２１】
上記第１の実施例に基づいて、さらなる例で説明するように、本考案は第２の実施例を提供する。
【００２２】
図２を参照し、図２は本考案の誘導発光回路の第２の実施例の回路図である。図面に示すように、第２の実施例の誘導発光回路１００は制御チップ１２０、発光ユニット１１０、第１のインダクタンスコイル１３０、第２のインダクタンスコイル１４０、第１の電線Ｌ１、第２の電線Ｌ２および第３の電線Ｌ３を備える。
【００２３】
更に、第１のインダクタンスコイル１３０は第１のインダクタンス値を有する。第２のインダクタンスコイル１４０は第２のインダクタンス値を有する。
【００２４】
また、第１の電線Ｌ１の一端は制御チップ１２０の一端に接続し、他端は第１のインダクタンスコイル１３０の一端に接続する。第２の電線Ｌ２の一端は制御チップ１２０の他端に接続し、他端は発光ユニット１１０の一端および第２のインダクタンスコイル１４０の一端に接続する。第３の電線Ｌ３の一端は第１のインダクタンスコイル１３０の他端に接続し、他端は発光ユニット１１０の他端および第２のインダクタンスコイル１４０の他端に接続する。
【００２５】
そのうち、制御チップ１２０の発光ユニット１１０に接続していない一端は第１の電圧値を有し、発光ユニット１１０の制御チップ１２０に接続していない他端は第２の電圧値を有し、第１の電圧値は第２の電圧値により大きい、第１の電圧値と第２の電圧値との比は、第１のインダクタンス値と第２のインダクタンス値との比と同じである。
【００２６】
実施する時、制御チップ１２０の電圧が発光ユニット１１０の電圧より大きい場合、制御チップ１２０の電圧を第１の電圧値にして、発光チップの電圧値を第２の電圧値にする。そして、第１の電圧値と第２の電圧値との比に基づいて、第１のインダクタンス値と第２のインダクタンス値との比を第１の電圧値と第２の電圧値との比に同じになるように、第１のインダクタンスコイル１３０の第１のインダクタンス値または第２のインダクタンスコイル１４０の第２のインダクタンス値を調節することで、発光ユニット１１０を制御チップ１２０にマッチすることができる。しかし、上記は単に一例であり、これに制限されない。
【００２７】
また、発光ユニット１１０は発光ダイオードであることができ、第１のインダクタンスコイル１３０または第２のインダクタンスコイル１４０は可変インダクタンスコイルであることができる。
【００２８】
上記の説明は単なる例示であり、限定的なものではない。本考案の範囲および趣旨を逸脱することなく均等範囲内における変更および修正は、いずれも添付の特許請求の範囲で扱うものとする。
【符号の説明】
【００２９】
１００：誘導発光回路
１１０：発光ユニット
１２０：制御チップ
１３０：第１のインダクタンスコイル
１４０：第２のインダクタンスコイル
Ｌ１：第１の電線
Ｌ２：第２の電線
Ｌ３：第３の電線
【図１】
0003232157.tif 000003
【図２】
0003232157.tif 000004